(57)【要約】【課題】  リップと粘着部材を用いた再封止可能な包装袋において、収納物の出し入れに際して、リップに邪魔をされることなく収納物の出し入れがスムーズにできる包装袋の提供。【解決手段】  表面シート１１と背面シート１２から成る袋本体の上部に、ヘッダー１０が設けられ、ヘッダーの下端封着部１５と表面シート上端１１ａとにより形成される開口部５は、下端封着部１５に設けられたリップ１６が表面シート１１に貼着されることにより封止される包装袋であって、表面シート１１の表面にはリップ１６を貼着する粘着部材１８が設けられ、リップ１６には下端封着部１５近傍にミシン目１７が施され、ヘッダー１０は折り曲げられて、前記粘着部材１８により表面シート１１へ貼着されて開口部５を再封できる包装袋１。【選択図】図１
2019142541.tif 000002
【特許請求の範囲】
【請求項１】
表面シートと背面シートから成る袋本体の上部に、背面シートと連続するヘッダーが設けられ、該ヘッダーの下端封着部と表面シートの上端とにより形成される開口部は、ヘッダーの下端封着部に設けられたリップが表面シートに貼着されることにより封止される包装袋であって、表面シートの表面にはリップを貼着する粘着部材が設けられ、リップにはヘッダーの下端封着部近傍に易切除手段が施され、ヘッダーは折り曲げられて、前記粘着部材により表面シートへ貼着されて、開口部を再封できることを特徴とする再封可能な包装袋。
【請求項２】
袋本体の内側に収納ポケットが設けられていることを特徴とする請求項１に記載の再封可能な包装袋。
【請求項３】
前記易切除手段はミシン目であることを特徴とする請求項１又は２に記載の再封可能な包装袋。
【請求項４】
表面シート及び背面シートには銀系抗菌剤が配合されていることを特徴とする請求項１〜３のいずれか一項に記載の再封可能な包装袋。
【発明の詳細な説明】
【技術分野】
【０００１】
本発明は、各種物品の包装袋に係り、特に、封止手段として粘着材を用いた再封可能な包装袋に係る。
【背景技術】
【０００２】
各種物品の包装袋は、各種物品を収納し、開口部を封止して収納物を保護すると共に、保管・輸送や展示・陳列などに供するために用いられる。この場合、包装袋を開封し、開口部から収納物を取り出した後、包装袋は不要物として廃棄されるだけでなく、収納物の一部を取り出し、残った収納物を再度包装袋に収納し、開口部を再封して保存することにも使用されている。特に、衛生マスクなどの衛生用品では複数枚が一つの包装袋に収納されることが多く、開封後、着用するために一枚ずつ取り出し、残品は汚染を防止するために、包装袋に収納し再封して保存される。その他、乾物やプリント用紙などのように、湿度によって変質したりや劣化したりする物品が複数収納される場合では、必要数量のみ取り出して、残品は同様にして再封して保存されることが多い。
【０００３】
上記のような再封可能な包装袋における封止手段として、開口部に開閉蓋の役割を担うリップ（フラップ）を設け、このリップの接着と剥離を自在に行うことができる粘着部材を用いて、リップを袋本体に貼着して開口部を封止したり、剥離して開封したりすることが行われており、この手段は封止と開封が容易にでき、かつ構造が簡単であり、再封可能な包装袋における封止手段としてよく用いられている（例えば特許文献１、２を参照）。しかし、これらの包装袋では、リップと袋本体との接着部を剥離し開封した後に、剥離したリップが残っており、収納物の出し入れの邪魔をして、支障を来たすことが多かった。
【先行技術文献】
【特許文献】
【０００４】
【特許文献１】実開平５−５８６５１号公報
【特許文献２】特開２０１１−７３７７２号公報
【発明の概要】
【発明が解決しようとする課題】
【０００５】
本発明が解決しようとする課題は、リップと粘着部材を用いた再封止可能な包装袋において、収納物の出し入れに際して、リップに邪魔をされることなく収納物の出し入れがスムーズにできる包装袋を提供することである。
【課題を解決するための手段】
【０００６】
本発明の再封可能な包装袋は、表面シートと背面シートから成る袋本体の上部に、背面シートと連続するヘッダーが設けられ、該ヘッダーの下端封着部と表面シートの上端とにより形成される開口部は、ヘッダーの下端封着部に設けられたリップが表面シートに貼着されることにより封止される包装袋であって、表面シートの表面にはリップを貼着する粘着部材が設けられ、リップにはヘッダーの下端封着部近傍に易切除手段が施され、ヘッダーは折り曲げられて、前記粘着部材により表面シートへ貼着されて、開口部を再封できることを特徴とする。
【０００７】
そして、上記の包装袋は、袋本体の内側に収納ポケットが設けられていることが好ましく、さらに、易切除手段はミシン目であることが好ましい。また、表面シート及び背面シートには銀系抗菌剤が配合されていることが好ましい。
【発明の効果】
【０００８】
本発明の包装袋は開口部を封止するためのリップにはミシン目などの易切除手段が施されており、粘着部材による貼着を剥離し開封した後に、このリップを切除することで、収納物の出し入れをスムーズに行うことができる。そして、リップを切除しても、ヘッダーを折り曲げて、リップの代わりに開口部を再封することができる。
【０００９】
また、収納ポケットを設けた包装袋は、衛生マスクの包装袋として好適に用いられ、未使用の衛生マスクを再封して保管できるだけでなく、使用中の衛生マスクを収納ポケットに保管することで、未使用の衛生マスクとは分離して保管することができるため、衛生マスクの包装・保管袋として好ましく用いることができ、袋本体を構成するシートに銀系抗菌剤を配合することで、収納部での細菌による汚染の防止も図ることができる。
【図面の簡単な説明】
【００１０】
【図１】本発明の包装袋の正面模式説明図と断面模式説明図。
【図２】同上包装袋におけるリップの除去とヘッダーによる再封の断面模式説明図。
【図３】従来の粘着部材を用いた再封止可能な包装袋の模式説明図。
【発明を実施するための形態】
【００１１】
本発明の実施の形態に付、以下、図を基に詳細な説明を行う。図１は本発明の再封可能な包装袋１を模式的に示したものである。図１（ａ）は平面模式説明図、（ｂ）は断面模式説明図であり、包装袋１の袋本体は前面シート１１と背面シート１２とから成り、底部１４と両方の側部１９は封着されて袋状になっており、本実施例では仕切りシート１３が設けられ、袋本体内部が収納部２と収納ポケット３とに仕切られている。本図に示すように、前面シート１１と背面シート１２は連続したシートを用いて、このシートを底部１４にて折り返し、底部１４にてこのシートと仕切りシート１３とを熱融着するか、接着剤にて接着し、さらに両方の側部１９を同様に接着することで封着し、収納部２と収納ポケット３を有する袋本体を作成できる。また、前面シート１１と背面シート１２と２枚のシートを用いて、底部１４を熱融着するか、接着剤にて接着して封着してもよく、この場合では、この封着と同時に仕切りシート１３も接着される。
【００１２】
さらに包装袋１には、背面シート１２と連続するヘッダー１０が設けられており、背面シート１２を伸ばし、折り曲げて下端封着部１５で封着することで設けられる。また、別途作成したヘッダー１０を背面シート１２の先端に熱融着や接着剤により取り付けて設けることでもよい。ヘッダー１０には、収納商品の名称等を表示するラベルが封入されたり、フック孔などの吊り下げ陳列手段が設けられたりする。尚、図１においては、ヘッダー１０の下端封着部１５は概念を示したものであり、ヘッダーを構成するシートは、通常この下端封着部１５にて、接着剤や熱融着等で一体化されており、図１（ｂ）に示されるような具体的な大きさを持つものではなく、図１（ｃ）に示すようにヘッダーを構成するシートは近接するか、あるいは密着して封着されている。さらに、下端封着部１５には、ヘッダー１０を構成するシートを延伸してリップ１６が設けられている。
【００１３】
そして、ヘッダー１０の下端封着部１５と表面シート上端１１ａとにより形成される開口部５は、下端封着部１５に設けられたリップ１６を、粘着部材１８により表面シート１１に貼着することで封止される。この粘着部材１８による貼着は脱着自在であり、開封と封止を繰り返して行うことができる。リップ１６には易切除手段としてのミシン目１７が下端封着部１５の近傍に施されており、開封後の収納物の出し入れにリップが邪魔な場合には、粘着部材１８からリップ１６を剥離するとともに、ミシン目１７を利用して容易に切除することができる。リップ１６を切除した場合には、図１（ｃ）に示すように、ヘッダー１０を折り曲げて粘着部材１８に貼着することで再封することができる。
【００１４】
図２は上記したリップ１６の除去とヘッダー１０による再封を模式的に示したものであり、図２（ａ）に示すように、開口部５を封止するリップ１６を粘着部材１８から剥離し、次いで、図２（ｂ）に示すようにミシン目１７においてリップ１６を切除する。そして図２（ｃ）に示すようにヘッダー１０を折り曲げて粘着部材１８に貼着して再封を行う。図３は従来の包装袋４を示しており、この包装袋４ではリップ４６にはミシン目などの易切除手段が施されていないので、開封後リップ４６が切除されず、収納物の出し入れに際して邪魔になる。
【００１５】
リップ１６やヘッダー１０を表面シート１１の表面に貼着するための粘着部材１８は、図に示すように表面シートの表面に設けられており、その表面の粘着性によりリップ１６やヘッダー１０とは脱着自在となっており、再封可能となっている。そして、粘着部材１８に用いられる粘着剤としては、ゴム系、アクリル系、シリコーン系などの公知の粘着剤組成物を用いることができ、このような粘着剤組成物を表面シート１１の表面に帯状に塗布したり、粘着剤組成物を基材に塗布した粘着テープを貼付したりすることにより、表面シート１１の表面に帯状の粘着部材１８を設けることができる。ここで用いられる粘着剤は感圧接着剤とも称されるように、圧着することで貼着でき、一旦剥離しても再度圧着することで貼着ができるものである。
【００１６】
以上のように、本発明の包装袋は開口部を封止するリップにミシン目等の易切除手段が施されているために、開封後リップを簡単に切除することができ、支障なく収納物の出し入れが行えるものである。そして、リップを切除した後でも、ヘッダーを利用して再封が可能な包装袋である。易切除手段としてはミシン目が好ましく用いられるが、リップの端部にノッチを設けることでもよく、これらを併用することでもよい。
【００１７】
また、収納ポケットが設けられた包装袋は衛生マスクの包装に好ましく用いられる。図１は衛生マスクを収納した包装袋１を示しており、未使用の衛生マスク３０は収納部２に収納され、使用中の衛生マスク３１は収納ポケット３に収納されている。このように収納ポケット３が設けられた包装袋１は、未使用の衛生マスク３０を再封して保管できるだけでなく、使用中の衛生マスク３１を分別して保管できるために、未使用の衛生マスク３０が汚染されるのを防ぐだけでなく、使用中の衛生マスク３１の更なる汚染を防いで保管できる包装袋となる。
【００１８】
本発明の包装袋を構成するシートとしては、ポリエチレン、ポリプロピレン、ポリスチレン、ポリエチレンテレフタレート、ポリ塩化ビニル、ポリ塩化ビニリデン、ポリアミド、エチレン・酢酸ビニル共重合体、エチレン・ビニルアルコール共重合体などのプラスチックフィルム、紙、及びこれらの複合シート、並びにアルミ箔などとの複合シートを例示することができる。これらのシートを加工して、袋本体の側部や底部、ヘッダーの下端封着部などを構成するには接着剤による接着や熱融着など公知の方法で行うことができ、さらに、ガゼット袋や角底袋としてもよい。
【符号の説明】
【００１９】
１  包装袋                            ２  収納部
３  収納ポケット                      ４  包装袋（従来品）
５  開口部
１０、４０  ヘッダー                  １１、４１  前面シート
１１ａ、４１ａ  前面シート上端
１２、４２  背面シート                １３  仕切りシート
１４、４４  底部                      １５、４５  下端封着部
１６、４６  リップ                    １７  ミシン目
１８、４８  粘着部材                  １９、４９  側部
３０  衛生マスク（未使用）            ３１  衛生マスク（使用中）
【図１】
2019142541.tif 000003
【図２】
2019142541.tif 000004
【図３】
2019142541.tif 000005